(57)【特許請求の範囲】
【請求項１】
収納部材と、回動軸を有すると共に前記収納部材に対して開閉可能で且つロック可能な蓋体とを備えた電子機器であって、
前記収納部材には、前記蓋体が前記収納部材に対してロックされたときに前記回動軸が位置する第１の軸係合部と、前記蓋体が前記収納部材に対してロックが解除されたときに前記回動軸が位置する第２の軸係合部とが連続して形成され、
前記収納部材には、三脚座が形成され、
前記三脚座から前記第１の軸係合部と前記第２の軸係合部との間に向かってフックが延出して形成され、前記フックの少なくとも一部分が前記第１の軸係合部と前記第２の軸係合部との間に位置し、前記回動軸を前記第１の軸係合部と前記第２の軸係合部との間で移動させる際に、前記回動軸が前記フックの少なくとも一部分に当接して、前記フックを弾性変形させることを特徴とする電子機器。
【請求項２】
前記回動軸が前記第１の軸係合部と前記第２の軸係合部との間で前記フックの一部分と少なくとも一箇所で当接しながら移動する際に、前記フックの一部分は、前記回動軸が前記第１の軸係合部又は前記第２の軸係合部に位置するときよりも、前記空間を広げる方向に弾性変形することを特徴とする請求項１に記載の電子機器。
【請求項３】
前記収納部材には、前記蓋体を全開状態としたときに前記蓋体の端面が接するリブが形成され、
前記蓋体の端面は、前記蓋体を全閉状態としたときに前記蓋体の外観面とはならないことを特徴とする請求項１または２に記載の電子機器。
【請求項４】
前記収納部材には、電池が収納されることを特徴とする請求項１乃至３のいずれか１項に記載の電子機器。
【請求項５】
前記収納部材を覆うカバー部材をさらに備え、
前記第１の軸係合部及び前記第２の軸係合部は、一組の第１の軸係合部及び第２の軸係合部と、他の組の第１の軸係合部及び第２の軸係合部とを含み、
前記一組の第１の軸係合部及び第２の軸係合部は前記収納部材中に形成され、
前記他の組の第１の軸係合部及び第２の軸係合部は、前記カバー部材が前記収納部材に組み込まれることにより形成されることを特徴とする請求項１乃至４のいずれか１項に記載の電子機器。
【発明の詳細な説明】
【技術分野】
【０００１】
本発明は、開閉可能な蓋体を有する収納部材を備えた電子機器に関する。
【背景技術】
【０００２】
従来、蓋の開閉が可能で電池等を収納する電池収納ケースを備えた撮像装置（デジタルカメラ）がある。従来の電池収納ケースの蓋開閉構造には、回動可能な支持軸を有する電池蓋と、支持軸をスライド可能に保持する軸穴と、電池蓋を支持軸を介してスライドさせる際にクリック力を発生させるためのバネ材（クリックバネ）を有する筐体を備えたものがある。
【０００３】
近年、低価格のデジタルカメラの需要の増加に伴い、コスト削減のため部品点数を削減することが求められている。そこで、部品点数を削減するために、電池収納ケースを構成する樹脂部材でクリックバネを一体に構成するものがある。しかし、電池収納ケースにクリックバネを一体で構成しようとすると、金型構造上から電池蓋自体の形状に制約を受けることが多く、電池蓋をスライドさせた際にクリックバネの周辺にできた穴から内部が見えたりするなど高級感に欠けるという問題がある。
【０００４】
上記の電池蓋開閉機構に関しては以下のような技術が提案されている（例えば、特許文献１参照）。特許文献１には、電池収納ケースとは別構成のクリックバネを使用し回動可能な電池蓋支持軸を保持すると共に、電池蓋の開閉時のスライドに伴いクリックバネでクリック力を発生させる電池蓋開閉機構を有する撮像装置が開示されている。
【先行技術文献】
【特許文献】
【０００５】
【特許文献１】特開２００８−２７６３７号公報
【発明の概要】
【発明が解決しようとする課題】
【０００６】
しかしながら、上記の特許文献１に開示された電池蓋開閉機構では、電池蓋と電池収納ケースの他にクリック用バネ材が必要であり、部品点数が増加すると共にコストが上昇するという問題がある。
【０００７】
本発明の目的は、部品点数を増やすことなく、蓋体の開閉操作時のクリック力を得ることを可能とした電子機器を提供することにある。
【課題を解決するための手段】
【０００８】
上記目的を達成するために、本発明は、収納部材と、回動軸を有すると共に前記収納部材に対して開閉可能で且つロック可能な蓋体とを備えた電子機器であって、前記収納部材には、前記蓋体が前記収納部材に対してロックされたときに前記回動軸が位置する第１の軸係合部と、前記蓋体が前記収納部材に対してロックが解除されたときに前記回動軸が位置する第２の軸係合部とが連続して形成され、前記収納部材には、三脚座が形成され、前記三脚座から前記第１の軸係合部と前記第２の軸係合部との間に向かってフックが延出して形成され、前記フックの少なくとも一部分が前記第１の軸係合部と前記第２の軸係合部との間に位置し、前記回動軸を前記第１の軸係合部と前記第２の軸係合部との間で移動させる際に、前記回動軸が前記フックの少なくとも一部分に当接して、前記フックを弾性変形させることを特徴とする。
【図面の簡単な説明】
【００１０】
【図１】本発明の実施の形態に係る電子機器としての撮像装置の電池収納ケースから電池蓋を外した状態を示す斜視図である。
【図２】（ａ）は、電池収納ケースの電池蓋を閉じた状態（全閉状態）を示す外観斜視図、（ｂ）は、電池収納ケースの電池蓋を開いた状態（全開状態）を示す外観斜視図である。
【図３】電池蓋機構、フロントカバー、リアカバーの構成を示す分解斜視図である。
【図４】（ａ）は、図２（ａ）の矢視Ａ−Ａ線に沿う構成を示す断面図、（ｂ）は、図２（ｂ）の矢視Ｂ−Ｂ線に沿う構成を示す断面図である。
【図５】（ａ）は、電池収納ケースの電池蓋を閉じた状態における電池蓋と回動軸の位置関係を示す拡大図、（ｂ）は、電池収納ケースの電池蓋を閉じた状態における電池蓋と回動軸の位置関係を示す拡大図である。
【図６】電池収納ケースとリアカバーの構成を示す分解斜視図である。
【発明を実施するための形態】
【００１１】
以下、本発明の実施の形態を図面に基づいて説明する。
【００１２】
図１は、本発明の実施の形態に係る電子機器としての撮像装置の電池収納ケースから電池蓋を外した状態を示す斜視図である。図２（ａ）は、電池収納ケースの電池蓋を閉じた状態（全閉状態）を示す外観斜視図、図２（ｂ）は、電池収納ケースの電池蓋を開いた状態（全開状態）を示す外観斜視図である。図３は、電池蓋機構、フロントカバー、リアカバーの構成を示す分解斜視図である。
【００１３】
図２に示すように、撮像装置１は、筐体内部の機構を覆うフロントカバー２及びリアカバー３と、電池蓋４（蓋体）と、電池収納ケース６（収納ケース）を備えたデジタルカメラとして構成されている。電池蓋４は、撮像装置１の筐体底面部に開閉可能に装着される。電池収納ケース６は、撮像装置１の筐体内部に設けられており、電池蓋４によって開閉される開口部を備えると共に電池５の挿入／取り出しが可能に構成されている。また、電池収納ケース６には、撮影した画像データを保存するメモリカード７が収納されると共に、撮像装置の設定項目を保存するためのバックアップ用電源を供給するコイン電池を収納するコイン電池収納部８も設けられている。
【００１４】
撮像装置の筐体底面部には、三脚を固定するための三脚ねじ穴９が設けられている。また、撮像装置の筐体側面部には、ストラップベルトを固定するための穴１０と、撮像装置内部に装備された外部インタフェースコネクタ（不図示）を保護するジャックカバー１１が設けられている。更に、撮像装置の筐体背面部及び筐体上面部には、電源ボタン、操作ボタン、ズームレバー、撮影した画像を表示するための液晶表示部（以上不図示）が設けられている。
【００１５】
また、図１に示すように、電池収納ケース６の電池蓋取り付け側の端部には、電池蓋取り付け用長穴６ａが設けられている。また、電池蓋４の端部には、回動軸４ａが設けられている。電池蓋４は、回動軸４ａを介して電池収納ケース６の開口部に対し開閉可能に構成されている。電池収納ケース６に電池蓋４を装着する際に、電池蓋取り付け用長穴６ａには、電池蓋４の回動軸４ａが挿入される。これにより、電池蓋４が電池収納ケース６に対してスライド可能に且つ回動自在に固定される。
【００１６】
また、図３に示すように、電池蓋４の裏面側には、電池収納ケース６に対して電池が極性を逆にして挿入される逆接続を防止する電池逆接続防止ガード１３と、電池収納ケース６に挿入された電池の電池蓋４側の端子に接触する蓋側電池接片１４が固定される。即ち、電池逆接続防止ガード１３は、例えば熱溶着により蓋側電池接片１４に固定される。電池逆接続防止ガード１３が固定された蓋側電池接片１４は、例えば熱溶着により電池蓋４の裏面側に固定される。また、電池収納ケース６の奥側には、電池収納ケース内に挿入される電池５のマイナス側端子が接触するプラスの電池接片１１ａと、電池収納ケース内に挿入される電池５のプラス側端子が接触するマイナスの電池接片１１ｂが取り付けられる。
【００１７】
次に、電池蓋４の開閉機構について図２乃至図６を参照しながら説明する。
【００１８】
図４（ａ）は、図２（ａ）の矢視Ａ−Ａ線に沿う構成を示す断面図、図４（ｂ）は、図２（ｂ）の矢視Ｂ−Ｂ線に沿う構成を示す断面図である。
【００１９】
図２（ｂ）に示すように、電池蓋４の裏面側には、係合部４ｃ、係合部４ｅが設けられている。電池収納ケース６には、電池蓋４を電池収納ケース６に対して閉じた全閉状態（図２（ａ））において電池蓋４の係合部４ｃ、係合部４ｅにそれぞれ対向する箇所に、係合部６ｃ、係合部６ｅが設けられている。電池蓋４の全閉状態では、電池蓋４の係合部４ｃ、係合部４と、電池収納ケース６の係合部６ｃ、係合部６ｅとが係合される。
【００２０】
また、電池蓋４の裏面側には、係合部４ｆ、係合部４ｇが設けられている。フロントカバー２には、電池蓋４を電池収納ケース６に対して閉じた電池蓋４の全閉状態において電池蓋４の係合部４ｆ、係合部４ｇにそれぞれ対向する箇所に、係合部２ｆ、係合部２ｇが設けられている。電池蓋４の全閉状態では、フロントカバー２の係合部２ｆ、係合部２ｇにより、電池蓋４の係合部４ｆ、係合部４ｇが保持される。
【００２１】
また、図４（ａ）に示すように、電池蓋４の全閉状態では、電池蓋４における電池収納ケース６への取り付け側端部である電池蓋端部４ｂと、電池収納ケース６の三脚座端面傾斜部６ｈとが対向する。その際、電池蓋端部４ｂと三脚座端面傾斜部６ｈとの間には、必要最小限の隙間が空くように構成されている。電池収納ケース６の長穴６ａ（図１）に沿ってスライド可能に係合された電池蓋４を全閉状態（図２（ａ））から全開状態（図２（ｂ））に開く動作を行うと、電池蓋４は撮像装置の筐体底面部に平行に且つ回動軸４ａに対し直交する方向にスライド移動する。更に、電池蓋４は回動軸４ａを中心に回動することで全開状態となる。
【００２２】
また、図３に示すように、電池収納ケース６の電池接片１１ａと電池５（図２（ｂ））との導通、電池収納ケース６の電池接片１１ｂと電池５（図２（ｂ））との導通を確実にするために、電池接片１１ａ及び電池接片１１ｂにバネ性を持たせる構成としている。これにより、電池接片１１ａ及び電池接片１１ｂによる電池５に対する接圧を確保している。
【００２３】
また、図４（ａ）、図４（ｂ）に示すように、電池蓋４の電池蓋端部４ｂの近傍には、傾斜面４ｈが設けられている。また、電池収納ケース６の電池蓋取り付け側の端部には、電池蓋４の全開状態において電池蓋４の傾斜面４ｈに対向する箇所にリブ６ｅが設けられている。電池蓋４を全開状態とした際、電池蓋４の傾斜面４ｈが電池収納ケース６のリブ６ｅと当接することにより、撮像装置の塗装面や外観面にキズが生じないように電池蓋４の動きにストッパ機能が働く。これにより、撮影者は撮像装置側のキズを気にしないで電池やメモリカードの交換ができる上、長期間使用しても塗装はがれ等が発生する心配はない。
【００２４】
背景技術で説明したような、電池収納ケースを構成する樹脂部材でクリックバネを一体に構成する電池蓋の場合、電池蓋の裏面側にクリックを発生させるための凸部を設け、凸部に対向する電池収納ケース側に爪を配置することが多い。しかし、電池蓋を開閉させる操作時の電池蓋の軌跡とスペースの不足から、回動軸と電池蓋の端面の距離を短くすると共に、電池蓋の端面をＲ状に肉を落とし込み、なおかつ外観側に電池蓋の開き角を確保するための凹部を追加することが多い。これでは、撮像装置自体のデザイン品位を下げることになる。
【００２５】
図５（ａ）は、電池収納ケースの電池蓋を閉じた状態における電池蓋と回動軸の位置関係を示す拡大図、図５（ｂ）は、電池収納ケースの電池蓋を閉じた状態における電池蓋と回動軸の位置関係を示す拡大図である。
【００２６】
図５（ａ）、図５（ｂ）に示すように、電池収納ケース６の電池蓋取り付け側の端部に設けられた電池蓋取り付け用長穴６ａは、撮像装置の光軸方向へのスライド型により成形され、第１の軸穴６ｂと第２の軸穴６ｃを内包している。第１の軸穴６ｂは、電池蓋４が電池収納ケース６に対してロックされた状態で回動軸４ａが位置（係合）する軸穴である（図５（ｂ））。第２の軸穴６ｃは、電池蓋が電池収納ケース６に対してロックが解除された状態で回動軸４ａが位置（係合）する軸穴である（図５（ａ））。
【００２７】
電池蓋取り付け用長穴６ａを構成する第１の軸穴６ｂと第２の軸穴６ｃの間には、第１の軸穴６ｂ及び第２の軸穴６ｃと一体的に、弾性変形が可能なフック部６ｄが形成されている。また、第１の軸穴６ｂと第２の軸穴６ｃとの間のフック部６ｄに沿った空間（穴）は、電池蓋４の開閉操作に伴って回動軸４ａが移動可能に形成されると共に、回動軸４ａがスライドする際にフック部６ｄによるクリック力を発生させるために狭く形成されている。
【００２８】
即ち、フック部６ｄは、第１の軸穴６ｂと第２の軸穴６ｃとの間のフック部６ｄに沿った空間（穴）を回動軸４ａがフック部６ｄに当接しながらスライドして通過する際に、回動軸４ａの当接に伴い弾性変形するように樹脂バネ形状となっている。フック部６ｄは、回動軸４ａが第１の軸穴６ｂと第２の軸穴６ｃに移動する際に、回動軸４ａが第１の軸穴６ｂに位置するとき又は回動軸４ａが第２の軸穴６ｃに位置するときよりも、第１の軸穴６ｂ及び第２の軸穴６ｃを広げる方向に弾性変形する。
【００２９】
これにより、電池収納ケース６に対する電池蓋４の開閉時において電池蓋４をスライドさせる際にクリック力を得ることができる上、回動軸４ａは常に第１の軸穴６ｂか第２の軸穴６ｃの位置に付勢されるためガタを抑えることができる。また、電池蓋４を開閉させても第１の軸穴６ｂと第２の軸穴６ｃは外部からは見えないため、あとからクリック力を変更したい場合でも外観を心配する必要がなく設計自由度も高い。
【００３０】
また、図４（ａ）、図４（ｂ）に示すように、電池蓋４の電池蓋端部４ｂの近傍に配置された傾斜面４ｈと、該傾斜面４ｈに対向する電池収納ケース６の三脚座端面傾斜部６ｈとは、それぞれテーパ状に形成されている。また、電池蓋端部４ｂ及び三脚座端面傾斜部６ｈは、電池蓋４の回動軸４ａから離間させた箇所に設けられている。電池蓋４を開いた際に、三脚座端面傾斜部６ｈと電池蓋４の相対距離を離すことが可能となるため、電池蓋４のより大きな開き角を得ることができる。これにより、電池蓋４の外観面に凹部を形成して開き角を確保することが不要となり、電池蓋４の外観面はデザイン上の制約を受けることもなく、例えば安全規格マークなどの彫刻文字を表示する上でも好適である。
【００３１】
なお、本実施の形態では、撮像装置の三脚座の一部をテーパ状に切り欠いて三脚座端面傾斜部６ｈを設ける構成としているが、三脚座の一部の強度低下の影響は三脚ネジ穴９の不完全ネジ部の範囲であるため問題はない。
【００３２】
図６は、電池収納ケースとリアカバーの構成を示す分解斜視図である。
【００３３】
図５で説明した電池収納ケース６の電池蓋取り付け用長穴６ａを構成する第１の軸穴６ｂ及び第２の軸穴６ｃの軸方向の形状を、電池蓋４の回動軸４ａの軸方向両端部に対して対称な形状にすると、電池蓋４を電池収納ケース６に組み込む際の組立性が損なわれる。即ち、第１の軸穴６ｂ及び第２の軸穴６ｃにおける電池蓋４の回動軸４ａの軸方向両端部が係合する部分を同じ形状にすると、前記組立性が損なわれる。
【００３４】
そこで図６に示すように、本実施の形態では、電池蓋取り付け用長穴６ａを構成する第１の軸穴６ｂ及び第２の軸穴６ｃにおける電池蓋４の回動軸４ａの軸方向一端部（リアカバー３側の端部）のみ、リアカバー３が有するリブ１２に設ける構成としている。即ち、電池蓋４の回動軸４ａの軸方向一端部が係合する部分を、リアカバー３のリブ１２により形成される切り欠き部分としている。
【００３５】
電池蓋４を電池収納ケース６に組み込む際は、まだリアカバー３が組み込まれていないので、電池蓋取り付け用長穴６ａを構成する第１の軸穴６ｂ及び第２の軸穴６ｃにおける電池蓋４の回動軸４ａの軸方向一端部（リアカバー３側の端部）は開口している。そのため、電池蓋４を電池収納ケース６に問題なく組み込むことが可能であり、特にこじる必要もないためキズ等に繋がる心配もない。その後、リアカバー３を組み込めば、通常の電池蓋取り付け用長穴６ａとして機能する。
【００３６】
以上説明したように本実施の形態によれば、撮像装置は、電池収納ケース６の電池蓋取り付け用長穴６ａを構成する第１の軸穴６ｂと第２の軸穴６ｃの間に、第１の軸穴６ｂ及び第２の軸穴６ｃと一体的に形成された、弾性変形が可能なフック部６ｄを備える。フック部６ｄは、回動軸４ａが第１の軸穴６ｂと第２の軸穴６ｃに移動する際に、回動軸４ａが第１の軸穴６ｂに位置するとき又は回動軸４ａが第２の軸穴６ｃに位置するときよりも、第１の軸穴６ｂ及び第２の軸穴６ｃを広げる方向に弾性変形する。また、第１の軸穴６ｂ及び第２の軸穴６ｃにおける電池蓋４の回動軸４ａの軸方向一端部を、リアカバー３のリブ１２に設ける構成としている。
【００３７】
これにより、電池収納ケース６に電池蓋４を組み込む際や電池収納ケース６に対し電池蓋４を開閉する際に、撮像装置側のキズを気にせずに電池やメモリカードを交換できると共に、電池蓋４を長期間使用しても塗装はがれ等が発生する心配もなくなる。
【００３８】
また、第１の軸穴６ｂ及び第２の軸穴６ｃにおける電池蓋４の回動軸４ａの軸方向一端部を、リアカバー３のリブ１２に設ける構成としているため、電池蓋４の組立性の向上を図ることが可能となる。
【００３９】
また、電池蓋４の外観面に凹部等を形成して開き角を確保することが不要となるため、電池蓋外観面のデザイン自由度を高めることができると共に、電池蓋４の回動軸４ａをスライドさせる際のクリック力を得ることが可能となる。この場合、クリック力の設定も比較的簡単に調整可能である。
【００４０】
また、電池蓋４の回動軸４ａは常に、電池収納ケース６の電池蓋取り付け用長穴６ａを構成する第１の軸穴６ｂか第２の軸穴６ｃの位置に付勢されるため、電池蓋４のガタを抑えることが可能となる。
【００４１】
即ち、電池蓋４の組立性及び開閉操作性と撮像装置の外観品位を確保しながら、部品点数を増やすことなく且つ撮像装置側に対するキズの発生を気にすることなく、電池蓋４の開閉操作を行うことが可能となるという効果を奏する。更に、電池蓋４の開閉操作時のクリック力を得ることが可能となるなどの効果を奏する。
【００４２】
〔他の実施の形態〕
上記実施の形態では、本発明の好ましい実施の形態について説明したが、本発明は特定の実施の形態に限定されるものではなく、本発明の要旨の範囲内で種々の変形及び変更が可能である。
【符号の説明】
【００４３】
４  電池蓋
４ａ  回動軸
６  電池収納ケース
６ｂ  第１の軸穴
６ｃ  第２の軸穴
６ｄ  フック部
【図１】
0005489699.tif 000002
【図２】
0005489699.tif 000003
【図３】
0005489699.tif 000004
【図４】
0005489699.tif 000005
【図５】
0005489699.tif 000006
【図６】
0005489699.tif 000007